(57)【特許請求の範囲】
【請求項１】
ユーザ装置が第１のアップリンクコンポーネントキャリアにおいて使用される送信電力を決定することを基地局がアシストする方法であって、当該基地局は、複数のアップリンクコンポーネントキャリアおよびダウンリンクコンポーネントキャリアｘ，ｙを介して当該ユーザ装置と通信するように構成されており、当該ユーザ装置は、第２のダウンリンクコンポーネントキャリアｘに関連付けられている経路損失パラメータを把握しており、
前記方法は、
前記基地局の前記コンポーネントキャリアに関連付けられているセル固有の経路損失パラメータを前記ユーザ装置から受信した測定結果に基づいて判定するステップであって、当該セル固有の経路損失パラメータは、少なくとも第１のアップリンクコンポーネントキャリアｙと、前記第２のダウンリンクコンポーネントキャリアとペアをなしている第２のアップリンクコンポーネントキャリアｘとに関連付けられている経路損失パラメータを含み、前記第２のアップリンクコンポーネントキャリアと前記第２のダウンリンクコンポーネントキャリアとが１つの周波数バンド内のキャリアである、ステップと、
前記第１のアップリンクコンポーネントキャリアｙについて経路損失オフセットΔＰＸ（ｙ，ｘ）を算出するステップであって、当該経路損失オフセットΔＰＸ（ｙ，ｘ）は、前記第２のアップリンクコンポーネントキャリアｘに対する前記第１のアップリンクコンポーネントキャリアｙについての経路損失電力オフセットである、ステップと、
前記算出した経路損失オフセットΔＰＸ（ｙ，ｘ）を前記ユーザ装置に送信するステップと
を有することを特徴とする方法。
【請求項２】
前記第２のダウンリンクコンポーネントキャリアｘは、アンカーダウンリンクコンポーネントキャリアであることを特徴とする請求項１に記載の方法。
【請求項３】
前記受信した測定結果は、リファレンス信号受信電力の測定値であることを特徴とする請求項１に記載の方法。
【請求項４】
前記第１のアップリンクコンポーネントキャリアｙは、物理アップリンク制御チャネル（ＰＵＣＣＨ）、物理アップリンク共用チャネル（ＰＵＳＣＨ）、サウンディングリファレンス信号（ＳＲＳ）および物理ランダムアクセスチャネル（ＰＲＡＣＨ）のいずれか１つについて使用されるキャリアであることを特徴とする請求項１ないし３のいずれか１項に記載の方法。
【請求項５】
第１のアップリンクコンポーネントキャリアｙにおいて使用される送信電力をユーザ装置が決定するためにユーザ装置において実行される方法であって、当該ユーザ装置は、複数のアップリンクコンポーネントキャリアおよびダウンリンクコンポーネントキャリアｘ，ｙを介して基地局と通信するように構成されており、
前記方法は、
第２のダウンリンクコンポーネントキャリアｘについての経路損失パラメータを決定するステップと、
経路損失オフセットΔＰＸ（ｙ，ｘ）を受信するステップであって、当該ΔＰＸ（ｙ，ｘ）は、前記第２のダウンリンクコンポーネントキャリアｘとペアを形成している第２のアップリンクコンポーネントキャリアｘに対する第１のアップリンクコンポーネントキャリアｙについての経路損失電力オフセットであり、当該第２のアップリンクコンポーネントキャリアと当該第２のダウンリンクコンポーネントキャリアは１つの周波数バンド内のキャリアである、ステップと、
前記受信した経路損失オフセットΔＰＸ（ｙ，ｘ）と、前記決定された第２のダウンリンクコンポーネントキャリアｘについての経路損失パラメータとを使用して、前記第１のアップリンクコンポーネントキャリアｙにおいて使用される前記送信電力を算出するステップと
を有することを特徴とする方法。
【請求項６】
前記経路損失パラメータを決定するために使用される測定結果を前記基地局に送信するステップをさらに有することを特徴とする請求項５に記載の方法。
【請求項７】
前記測定結果は、リファレンス信号受信電力の測定値であるを有することを特徴とする請求項６に記載の方法。
【請求項８】
前記第２のダウンリンクコンポーネントキャリアｘは、アンカーダウンリンクコンポーネントキャリアであることを特徴とする請求項５ないし７のいずれか１項に記載の方法。
【請求項９】
前記第１のアップリンクコンポーネントキャリアｙは、物理アップリンク制御チャネル（ＰＵＣＣＨ）、物理アップリンク共用チャネル（ＰＵＳＣＨ）、サウンディングリファレンス信号（ＳＲＳ）および物理ランダムアクセスチャネル（ＰＲＡＣＨ）のいずれか１つについて使用されるキャリアであることを特徴とする請求項５ないし８のいずれか１項に記載の方法。
【請求項１０】
ユーザ装置が第１のアップリンクコンポーネントキャリアにおいて使用される送信電力を決定することをアシストする基地局であって、当該基地局は、複数のアップリンクコンポーネントキャリアおよびダウンリンクコンポーネントキャリアｘ，ｙを介して当該ユーザ装置と通信するように構成されており、当該ユーザ装置は、第２のダウンリンクコンポーネントキャリアｘに関連付けられている経路損失パラメータを把握しており、
前記基地局は、
前記基地局の前記コンポーネントキャリアに関連付けられているセル固有の経路損失パラメータを前記ユーザ装置から受信した測定結果に基づいて判定するように構成されており、当該セル固有の経路損失パラメータは、少なくとも第１のアップリンクコンポーネントキャリアｙと、前記第２のダウンリンクコンポーネントキャリアとペアをなしている第２のアップリンクコンポーネントキャリアｘとに関連付けられている経路損失パラメータを含み、前記第２のアップリンクコンポーネントキャリアと前記第２のダウンリンクコンポーネントキャリアとが１つの周波数帯域内のキャリアであり、さらに、前記第１のアップリンクコンポーネントキャリアｙについて経路損失オフセットΔＰＸ（ｘ，ｙ）を算出するように構成されており、当該経路損失オフセットΔＰＸ（ｘ，ｙ）は、前記第２のアップリンクコンポーネントキャリアｘに対する前記第１のアップリンクコンポーネントキャリアｙについての経路損失電力オフセットである、プロセッサと、
前記算出した経路損失オフセットΔＰＸ（ｘ，ｙ）を前記ユーザ装置に送信するように構成された送信機と
を有することを特徴とする基地局。
【請求項１１】
前記第２のダウンリンクコンポーネントキャリアｘは、アンカーダウンリンクコンポーネントキャリアであることを特徴とする請求項１０に記載の基地局。
【請求項１２】
前記第１のアップリンクコンポーネントキャリアｙは、物理アップリンク制御チャネル（ＰＵＣＣＨ）、物理アップリンク共用チャネル（ＰＵＳＣＨ）、サウンディングリファレンス信号（ＳＲＳ）および物理ランダムアクセスチャネル（ＰＲＡＣＨ）のいずれか１つについて使用されるキャリアであることを特徴とする請求項１０または１１に記載の基地局。
【請求項１３】
第１のアップリンクコンポーネントキャリアｙにおいて使用する送信電力を決定するユーザ装置であって、当該ユーザ装置は、複数のアップリンクコンポーネントキャリアおよびダウンリンクコンポーネントキャリアｘ，ｙを介して基地局と通信するように構成されており、
前記ユーザ装置は、
第２のダウンリンクコンポーネントキャリアｘについての経路損失パラメータを決定するように構成されたプロセッサと、
経路損失オフセットΔＰＸ（ｙ，ｘ）を受信するように構成された受信機と
を有し、
前記ΔＰＸ（ｙ，ｘ）は、前記第２のダウンリンクコンポーネントキャリアｘとペアを形成している第２のアップリンクコンポーネントキャリアｘに対する第１のアップリンクコンポーネントキャリアｙについての経路損失電力オフセットであり、当該第２のアップリンクコンポーネントキャリアと当該第２のダウンリンクコンポーネントキャリアは１つの周波数バンド内のキャリアであり、
前記プロセッサは、前記受信した経路損失オフセットΔＰＸ（ｙ，ｘ）と、前記決定された第２のダウンリンクコンポーネントキャリアｘについての経路損失パラメータとを使用して、前記第１のアップリンクコンポーネントキャリアｙにおいて使用される前記送信電力を算出するように構成されていることを特徴とするユーザ装置。
【請求項１４】
前記経路損失パラメータを決定するために使用されるＲＳＲＰ測定結果を前記基地局に送信するように構成された送信機をさらに有することを特徴とする請求項１３に記載のユーザ装置。
【請求項１５】
前記第２のダウンリンクコンポーネントキャリアｘは、アンカーダウンリンクコンポーネントキャリアであることを特徴とする請求項１３または１４に記載のユーザ装置。
【請求項１６】
前記第１のアップリンクコンポーネントキャリアｙは、物理アップリンク制御チャネル（ＰＵＣＣＨ）、物理アップリンク共用チャネル（ＰＵＳＣＨ）、サウンディングリファレンス信号（ＳＲＳ）および物理ランダムアクセスチャネル（ＰＲＡＣＨ）のいずれか１つについて使用されるキャリアであることを特徴とする請求項１３ないし１５のいずれか１項に記載のユーザ装置。
【発明の詳細な説明】
【技術分野】
【０００１】
本発明は、ワイヤレス通信ネットワークにおける方法および装置に関し、詳細には、キャリアアグリゲーションに関連する経路損失の補償に関する。
【背景技術】
【０００２】
３ＧＰＰ  ＬＴＥ（Ｌｏｎｇ  Ｔｅｒｍ  Ｅｖｏｌｕｔｉｏｎ）は、移動通信ネットワークの第４世代に向けた標準規格であり、例えばキャパシティの拡大やデータ速度の高速化を伴ってＵＭＴＳ標準を向上させるための第三世代パートナシッププロジェクト（３ＧＰＰ）における一つのプロジェクトである。ＬＴＥ仕様は、最大３００Ｍｂｐｓのダウンリンクピークレートだけでなく、最大７５Ｍビット／ｓのアップリンクや、１０ｍｓ未満という無線アクセスネットワークのラウンド・トリップ・タイムを提供する。加えて、ＬＴＥは、２０ＭＨｚから１．４ＭＨｚまでのスケーラブルなキャリア帯域幅をサポートし、かつ、ＦＤＤ（Ｆｒｅｑｕｅｎｃｙ  Ｄｉｖｉｓｉｏｎ  Ｄｕｐｌｅｘ：周波数分割双方向伝送方式）およびＴＤＤ（Ｔｉｍｅ  Ｄｉｖｉｓｉｏｎ  Ｄｕｐｌｅｘ：時分割双方向伝送方式）をいずれもサポートする。
【０００３】
ＬＴＥは、ダウンリンクではＯＦＤＭを用い、アップリンクではＤＦＴ−ｓｐｒｅａｄ  ＯＦＤＭを用いる。従って、基本的なＬＴＥダウンリンク物理リソースは、図１に示すような時間周波数グリッドとして考えることができ、ここで各リソースエレメント（要素）は、１つのＯＦＤＭシンボル間隔に含まれる１つのＯＦＤＭサブキャリアに対応する。
【０００４】
時間領域では、図２に示すように、ＬＴＥのダウンリンク送信は、１０ｍｓの無線フレームに分かれており、各無線フレームは、Ｔｓｕｂｆｒａｍｅ＝１ｍｓの１０個の同じサイズのサブフレームで構成されている。
【０００５】
さらに、ＬＴＥにおけるリソース割り当ては、典型的にはリソースブロックとして記述され、ここで１つのリソースブロックは、時間領域では１スロット（０．５ｍｓ）に、周波数領域では１２個の連続したサブキャリアに対応する。リソースブロックには、周波数領域では、システム帯域幅の一方の端から０で始まる番号が付けられている。
【０００６】
ダウンリンク送信は動的にスケジューリングされており、すなわち、どの端末にデータが送信され、現行のダウンリンクサブフレームの中のどのリソースブロック上でデータが送信されるのかについて、基地局が各サブフレームの中で制御情報を送信する。この制御シグナリングは、典型的には、各サブフレームの中の最初の１、２、３、または４個のＯＦＤＭシンボルの中で送信される。３個のＯＦＤＭシンボルを制御部として備えたダウンリンクシステムを図３に示す。
【０００７】
ＬＴＥはハイブリッドＡＲＱを用いており、ここで、端末は、サブフレームの中でダウンリンクデータを受信した後、それを復号することを試行し、復号が成功した（ＡＣＫ）か、否（ＮＡＫ）かを基地局に報告する。復号の試行が成功しなかった場合、基地局は、誤ったデータを再送信してもよい。
【０００８】
端末から基地局へのアップリンク制御シグナリングは、受信されたダウンリンクデータについてのハイブリッドＡＲＱアクノレッジメント（確認応答）と、ダウンリンクスケジューリングをアシストするために使用されるダウンリンクチャネルコンディションに関する端末の報告と、アップリンクデータ送信のためのアップリンクリソースを移動端末が必要としていることを示すスケジューリング要求とで構成される。
【０００９】
アップリンク制御データは、許可されたアップリンクユーザデータ送信と共に多重化されるか、または、ＵＥがアップリンクのスケジューリングされたデータ送信についての許可を受け取っていない場合、アップリンク制御チャネルを介して送信されるかのいずれかである。
【００１０】
いかなるセルラーシステムにとっても基本となる必要条件は、接続のセットアップをＵＥが要求できるようにすることであり、これは一般にランダムアクセスと呼ばれる。
【００１１】
典型的に、ランダムアクセスは、コンテンション方式に基づくランダムアクセスチャネル（ＲＡＣＨ）を介して行われる。ＬＴＥでは、ＲＡＣＨは、多様なシナリオにおいてアップリンクの時刻同期を達成するのに用いられており、この場合、セルラーシステムへの最初のアクセスが１つのシナリオを表す。（アップリンクの時刻同期は、直交送信信号を得るために不可欠であり、いかなるアップリンクデータ送信であってもそれを許可するためのＬＴＥシステム要件である。）
ＬＴＥのランダムアクセス手順は４つのステップから成り、図４に示すように、第１のステップでは、ＲＡＣＨを用いてランダムアクセスプリアンブルが送信される。プリアンブルの送信によって、ランダムアクセス試行の存在が基地局に示され、基地局はｅノードＢとＵＥとの間の伝搬遅延を推定できるようになる。第２のステップでは、ｅノードＢが、例えば、必要なアップリンクのタイミング調整と、アップリンク共用チャネル（ＵＬ−ＳＣＨ）上での高位レイヤメッセージのアップリンクのスケジューリングによる送信の許可とを含むメッセージをダウンリンク共用チャネル（ＤＬ−ＳＣＨ）上で送信することによって応答する。第３のステップでは、ＵＥがそのランダムアクセスメッセージを、ＵＬ−ＳＣＨを介して送信するのだが、それは、例えば接続要求であるか、または、ＵＥがすでに接続されている場合には、アップリンクスケジューリング要求であってもよいだろう。また、このメッセージは、ＵＥのＩＤも含んでいる。第４のステップでは、ｅノードＢが、第３のステップで受信されたＵＥのＩＤを含むコンテンションレゾリューション（解決）メッセージを送信する。
【００１２】
ランダムアクセスプリアンブルが送信される時間周波数リソースは、物理ランダムアクセスチャネル（ＰＲＡＣＨ）として知られる。ＰＲＡＣＨの送信は、同報されたシステム情報を通してＵＥに知られている所定のサブフレーム内でのみ可能である。ＰＲＡＣＨ送信の帯域幅は、常に６個のリソースブロックであり、その継続時間は、構成されたプリアンブルのフォーマットに依存する。図５は、無線フレーム毎に１つのＰＲＡＣＨが割り当てられ、ＰＲＡＣＨ継続時間が１ｍｓであるようなＰＲＡＣＨ構成を示す図である。
【００１３】
ＰＲＡＣＨ上でランダムアクセスプリアンブルの送信に用いられる電力制御は、開ループ手順に基づいており、すなわち、ｅノードＢからのフィードバックが存在しない。典型的には、ＵＥは、同報されたシステム情報の一部としてＵＥが利用できるダウンリンク経路損失の推定値とｅノードＢプリアンブルの受信された目標電力とに基づいて、その最初のＰＲＡＣＨ電力設定を行う。
【００１４】
ランダムアクセスプリアンブルの送信は、スケジューリングされていない送信であるから、ｅノードＢが開ループ推定値の測定エラーを訂正するために閉ループ訂正を採用することはできない。その代わりに、ＵＥが、ランダムアクセスプリアンブルの送信試行と送信試行との間にその送信電力（というよりもその受信された目標電力）を増加させる電力増加手法が用いられる。これは、例えば経路損失推定値のエラーが原因で、最初の送信電力が低すぎるＵＥであっても、数回のプリアンブル送信試行の後では、ｅノードＢによって検出されるのに十分な程度までその電力が増加するであろうということを保証するものである。例えば、Ｎ回のランダムアクセス試行の後、送信電力の増加の合計は、
ΔＰｒａｍｐｕｐ＝（Ｎ−１） * Δｒａｍｐ  ｓｔｅｐ
であり、
ここで、Δｒａｍｐ  ｓｔｅｐは、各送信試行間の増加ステップのサイズである。他の端末とのランダムアクセス衝突の確率が高まることを避けるためだけでなく大幅なアクセス遅延を避けるためにも、ランダムアクセス試行回数Ｎを合理的な低い数字に維持することが望ましい。
【００１５】
ＬＴＥシステムにおけるダウンリンクおよびアップリンクのピークデータ速度を高速化するために、ＬＴＥリリース１０について、最大送信帯域幅を２０ＭＨｚから最大１００ＭＨｚへと拡大することが決定された。この帯域幅の拡大は、各コンポーネントキャリアが２０ＭＨｚの最大帯域幅を有する場合、複数のコンポーネントキャリアを統合することによって達成される。複数のダウンリンク、またはアップリンクのコンポーネントキャリアは、隣接していてもよいし、隣接していなくてもよい。このようにして、キャリアアグリゲーション（統合）によって、多様な不連続のスペクトル断片上での同時送信／受信が可能になる。
【発明の概要】
【発明が解決しようとする課題】
【００１６】
先行技術のＦＤＤ  ＬＴＥ端末についての開ループ電力制御設定は、ペアになっているアップリンクの送信帯域幅およびダウンリンクの送信帯域幅が非常に大きいガードバンド（保護周波数帯）（例えば、数百ＭＨｚの規模の大きさ）によって分離されることはない、ということを利用する。これは、電力設定はアップリンク送信について行われているが、経路損失の推定はダウンリンク信号に関して行われてもよいことを意味する。
【００１７】
コンポーネントキャリアのペアが、例えば９００ＭＨｚと２１００ＭＨｚという異なる帯域に存在する場合のように、周波数で相互に遠距離にあるキャリアアグリゲーションの場合、ＵＥがその開ループ電力推定を９００ＭＨｚ帯域の１つのダウンリンクコンポーネントキャリア上で行った後で２１００ＭＨｚ帯域のアップリンクコンポーネントキャリア上でＰＲＡＣＨまたはＰＵＳＣＨ／ＰＵＣＣＨ／ＳＲＳを送信するならば、アップリンク送信についての開ループ電力設定は不正確となるであろう。従って、経路損失の推定を改善することが望まれる。
【課題を解決するための手段】
【００１８】
これは、本発明の実施形態により、ユーザ装置とも呼ばれる移動端末にシグナリングされる一組の経路損失電力オフセットによって達成されるが、それらは、専用のシグナリングであってもよいし、例えばセル内でブロードキャスト（同報）されるシステム情報を介して、同報されてもよい。電力オフセットの各々は、測定が行われるダウンリンクコンポーネントキャリアに関連する第１の周波数帯（周波数バンド）上のアップリンクコンポーネントキャリアと、送信用に用いられることになる第２の周波数帯（周波数バンド）上のアップリンクコンポーネントキャリアとの間の所定のカップリングについて補償する。
【００１９】
これによって、大量のランダムアクセス試行やＰＵＳＣＨ／ＰＵＣＣＨ／ＳＲＳについての最初のアップリンク電力設定の不正確さが回避され、このようにしてＵＥは、例えば２つの帯域にコンポーネントキャリアが配置される場合に、２つの部分の距離が多大であることに因るダウンリンクとアップリンクとの間の重大な経路損失差を補償する。
【００２０】
本発明の実施形態の第１の態様によって、第１のアップリンクコンポーネントキャリアｙ上で用いられることになる送信電力をＵＥが判定するのをアシスト（支援）するための、基地局における方法が提供される。基地局は、複数のアップリンクおよびダウンリンクコンポーネントキャリアｘ、ｙ上でＵＥと通信するように構成されており、ＵＥは、第２のダウンリンクコンポーネントキャリアｘに関連する経路損失パラメータを知っている。本方法では、基地局のコンポーネントキャリアに関連するセル固有経路損失パラメータが判定され、ここで、セル固有経路損失パラメータには、少なくとも、第１のアップリンクコンポーネントキャリアｙと、第２のアップリンクコンポーネントキャリアｘとに関連する経路損失パラメータが含まれる。第２のアップリンクのコンポーネントキャリアｘは、第２のダウンリンクコンポーネントキャリアｘと対になっており、ここで、第２のアップリンクコンポーネントキャリアと第２のダウンリンクコンポーネントキャリアとは、１つの周波数帯の中にある。経路損失オフセットであるΔＰＬ（ｙ，ｘ）が、第１のアップリンクコンポーネントキャリアｙについて算出され、ここで、経路損失オフセットであるΔＰＬ（ｙ，ｘ）は、第２のアップリンクコンポーネントキャリアｘに関する第１のアップリンクコンポーネントキャリアｙについての経路損失電力オフセットであり、算出された経路損失オフセットであるΔＰＬ（ｙ，ｘ）は、ＵＥへ送信される。
【００２１】
本発明の実施形態の第２の態様によって、第１のアップリンクコンポーネントキャリアｙ上で用いられることになるＵＥの送信電力を判定するための、ＵＥにおける方法が提供される。ＵＥは、複数のアップリンクおよびダウンリンクコンポーネントキャリアｘ、ｙ上で基地局と通信するように構成されている。方法では、第２のダウンリンクコンポーネントキャリアｘの経路損失パラメータが判定され、経路損失オフセットであるΔＰＬ（ｙ，ｘ）が受信され、ここで、ΔＰＬ（ｙ，ｘ）は、第２のアップリンクコンポーネントキャリアｘに関する第１のアップリンクコンポーネントキャリアｙについての経路損失電力オフセットである。第２のアップリンクコンポーネントキャリアｘは、第２のダウンリンクコンポーネントキャリアｘと対になっており、ここで、第２のアップリンクコンポーネントキャリアと第２のダウンリンクコンポーネントキャリアとは、１つの周波数帯の中にある。さらに、受信された経路損失オフセットであるΔＰＬ（ｘ，ｙ）と、第２のダウンリンクコンポーネントキャリアｘの判定された経路損失パラメータとを用いて、第１のアップリンクコンポーネントキャリアｙ上で用いられることになる送信電力が算出される。
【００２２】
本発明の実施形態の第３の態様によって、第１のアップリンクコンポーネントキャリアｙ上で用いられることになる送信電力をＵＥが判定するのを支援するための基地局が提供される。基地局は、複数のアップリンクおよびダウンリンクコンポーネントキャリアｘ、ｙ上でＵＥと通信するように構成されており、ＵＥは、第２のダウンリンクコンポーネントキャリアｘに関連する経路損失パラメータを知っている。基地局は、基地局のコンポーネントキャリアに関連するセル固有経路損失パラメータを判定するように構成されたプロセッサを備えており、ここで、セル固有経路損失パラメータには、少なくとも、第１のアップリンクコンポーネントキャリアと、第２のアップリンクコンポーネントキャリアｘとに関連する経路損失パラメータが含まれる。第２のアップリンクのコンポーネントキャリアｘは、第２のダウンリンクコンポーネントキャリアｘと対になっており、ここで、第２のアップリンクコンポーネントキャリアと第２のダウンリンクコンポーネントキャリアとは、１つの周波数帯の中にある。プロセッサは、さらに、第１のアップリンクコンポーネントキャリアｙについての経路損失オフセットであるΔＰＬ（ｙ，ｘ）を算出するように構成されており、ここで、経路損失オフセットであるΔＰＬ（ｙ，ｘ）（８０３）は、第２のアップリンクコンポーネントキャリアｘに関する第１のアップリンクコンポーネントキャリアｙについての経路損失電力オフセットである。さらに、基地局は、算出された経路損失オフセットであるΔＰＬ（ｙ，ｘ）をＵＥへ送信するように構成された送信機を備えている。
【００２３】
本発明の実施形態の第４の態様によって、第１のアップリンクコンポーネントキャリアｙ上で用いられることになるＵＥの送信電力を判定するためのＵＥが提供される。ＵＥは、複数のアップリンクおよびダウンリンクコンポーネントキャリアｘ、ｙ上で基地局と通信するように構成されている。ＵＥは、第２のダウンリンクコンポーネントキャリアｘの経路損失パラメータを判定するように構成されたプロセッサと、経路損失オフセットであるΔＰＬ（ｙ，ｘ）を受信するように構成された受信機とを備えており、ここで、ΔＰＬ（ｙ，ｘ）は、第２のアップリンクコンポーネントキャリアｘに関する第１のアップリンクコンポーネントキャリアｙについての経路損失電力オフセットである。第２のアップリンクコンポーネントキャリアは、第２のダウンリンクコンポーネントキャリアｘと対になっており、ここで、第２のアップリンクコンポーネントキャリアと第２のダウンリンクコンポーネントキャリアとは、１つの周波数帯の中にある。プロセッサ（８０４）は、さらに、受信された経路損失オフセットであるΔＰＬ（ｙ，ｘ）と、第２のダウンリンクコンポーネントキャリアｘの判定された経路損失パラメータとを用いて、アップリンクコンポーネントキャリアｙ上で用いられることになる送信電力を算出するように構成されている。
【００２４】
本発明の実施形態の利点は、各コンポーネントキャリアが、例えば９００ＭＨｚと２１００ＭＨｚという異なる帯域に存在する場合のように、周波数で相互に遠距離にあるキャリアアグリゲーションの場合、それらが、アップリンク送信のための開ループ電力設定を改善する手段を提供することである。
【００２５】
また、これらの実施形態は、ランダムアクセス衝突の確率だけでなく、ネットワークにアクセスするための平均時間も削減する。
【図面の簡単な説明】
【００２６】
【図１】先行技術による、ＬＴＥダウンリンク物理リソースを示す図である。
【図２】先行技術による、ＬＴＥ時間領域の構造を示す図である。
【図３】先行技術による、ダウンリンクサブフレームを示す図である。
【図４】先行技術による、ＬＴＥにおけるランダムアクセス手順を示す図である。
【図５】先行技術による、ＦＤＤにおけるＰＲＡＣＨプリアンブル送信のプリンシパルを示す図である。
【図６】本発明の実施形態による方法のフローチャートである。
【図７】本発明の実施形態による方法のフローチャートである。
【図８】本発明の実施形態による、ＵＥとｅＮＢとを示す図である。
【図９】本発明の実施形態の原理を略示する図である。
【図１０】本発明の実施形態の原理を略示する図である。
【発明を実施するための形態】
【００２７】
本発明の実施形態について、ＬＴＥアドバンストネットワークの文脈で記述するが、本発明は、統合されたコンポーネントキャリアを有するいかなるシステムにも適用可能であることに留意すべきである。
【００２８】
大量のランダムアクセス試行やＰＵＳＣＨおよびＰＵＣＣＨのような物理チャネルについての最初のアップリンク電力設定の不正確さを回避することを目的として、下記の第１および第２の実施形態によって、ＵＥが、例えば２つの帯域のコンポーネントキャリアが配置される場合に、２つの部分の距離が多大であることに因るダウンリンクとアップリンクとの間の重大な経路損失差を補償するように構成されている。すなわち、異なる周波数バンド（周波数帯）におけるアップリンクコンポーネントキャリア間の重大な経路損失差を補償するため、ΔＰＬと呼ばれる補償パラメータが導入される。従って、ＵＥは、第２のダウンリンクコンポーネントキャリアｘ上の経路損失ＰＬ（ｘ）を推定し、次いで、補償パラメータであるΔＰＬをＰＬ（ｘ）に適用することにより、ＵＥは、第１のアップリンクコンポーネントキャリアｙ上で送信するための利用可能な電力を算出することができる。第２のダウンリンクコンポーネントキャリアｘは、同一周波数帯上で第２のアップリンクコンポーネントキャリアｘと対になっており、第１のダウンリンクコンポーネントキャリアｙが、第１のアップリンクコンポーネントキャリアｙとペアになっている。
【００２９】
第１の実施形態によれば、ΔＰＬ（ｙ，ｘ）は、第１のアップリンクコンポーネントキャリアｙおよび第２のアップリンクコンポーネントキャリアｘに対応する経路損失電力オフセットとして判定されており、ここで、経路損失測定は、第２のアップリンクコンポーネントキャリアｘに関連する第２のダウンリンクコンポーネントキャリアｘ上で行われたものである。第２のコンポーネントキャリアｘは、異なる周波数帯上の一組のアップリンクコンポーネントキャリアのうちのいかなるコンポーネントキャリアであってもよく、そして、第１のコンポーネントキャリアｙは、異なる周波数帯上の一組のダウンリンクコンポーネントキャリアのうちのいかなるコンポーネントキャリアであってもよい。
【００３０】
さらに、第２の実施形態によれば、第２のダウンリンクコンポーネントキャリアｘは、アンカーダウンリンクコンポーネントキャリアである。また、アンカーダウンリンクコンポーネントキャリアは、一次コンポーネントキャリアまたは一次セルとも呼ばれてもよい。
【００３１】
経路損失オフセットとも呼ばれる補償パラメータであるΔＰＬを算出することを目的として、基地局のコンポーネントキャリアに関連するセル固有経路損失パラメータが判定される。セル固有経路損失パラメータには、少なくとも、第１のアップリンクコンポーネントキャリアｙと第２のアップリンクコンポーネントキャリアｘとに関連する経路損失パラメータが含まれる。これらのセル固有経路損失パラメータに基づいて、ΔＰＬ（ｙ，ｘ）と呼ばれる経路損失オフセットが、第１のアップリンクコンポーネントキャリアｙについて算出され、ここで、経路損失オフセットであるΔＰＬ（ｙ，ｘ）は、第２のアップリンクコンポーネントキャリアｘに関する第１のアップリンクコンポーネントキャリアｙについての経路損失電力オフセットである。セル固有経路損失パラメータの例として、特定の周波数についての特定のセルにおける伝搬条件に関係するセル固有経路損失係数や、例えば、そのセルの中のＵＥからＲＳＲＰ（Ｒｅｆｅｒｅｎｃｅ  Ｓｉｇｎａｌ  Ｒｅｃｅｉｖｅｄ  Ｐｏｗｅｒ：リファレンス信号受信電力）測定値を収集しているネットワークによって収集された、所与のセルについての統計値がある。ＲＳＲＰを用いることによって、ネットワークは、自分自身の送信電力を知っているのだから、ダウンリンク経路損失を算出することができる。留意されるべきだが、２つの周波数は２つのセルを意味し、従って、３ＧＰＰ用語では、１つのセルに対しては１つの周波数しかない。
【００３２】
これを図９および１０に示すが、ここでは３つの周波数帯、すなわち、周波数帯１、２、および３上のアップリンクおよびダウンリンクコンポーネントキャリアを示している。
【００３３】
図９は、第１の実施形態を示し、ここで、経路損失の測定はＤＬ２上で行われ、ΔＰＬは、ＵＬ１とＵＬ３とがアップリンク送信について用いられる場合、ＵＬ２とＵＬ１との間、およびＵＬ２とＵＬ３との間で判定される。留意されるべきだが、ＵＬ２がアップリンク送信に用いられる場合、測定は対応するダウンリンクコンポーネントキャリアＤＬ２上で行われるのだから、ΔＰＬが判定される必要はない。この例では、アンカーキャリアは周波数帯１上であるが、周波数帯のうちのどれがアンカーキャリアであるかは、本実施形態には関係がない。
【００３４】
図１０は、第２の実施形態を示し、ここで経路損失の測定は、図１０のＤＬ１であるアンカーキャリア上で行われ、ΔＰＬは、ＵＬ２とＵＬ３とがアップリンク送信に用いられる場合、ＵＬ２とＵＬ１との間、およびＵＬ１とＵＬ３との間で判定される。留意されるべきだが、ＵＬ１がアップリンク送信に用いられる場合、測定は対応するダウンリンクコンポーネントキャリアＤＬ１上で行われるのだから、ΔＰＬが判定される必要はない。
【００３５】
これらの実施形態では、ΔＰＬと呼ばれる経路損失電力オフセットは、ＵＥにシグナリングされる。ΔＰＬは、専用として、または同報を介して、ＵＥにシグナリングされる一組のパラメータである。パラメータの組のサイズは、１つのセルの中で構成されるダウンリンクおよびアップリンクコンポーネントキャリアの数によって決まる。例えば、２つのアップリンクコンポーネントキャリア（ｎ∈｛０，１｝）と１つのダウンリンクコンポーネントキャリア（ｍ＝０）とが存在してもよい。
【００３６】
経路損失電力オフセットであるΔＰＬは、異なるチャネル上でのアップリンク送信電力を判定するために用いられてもよく、それについてさらに以下に述べる。
【００３７】
ダウンリンクコンポーネントキャリアｍ上の経路損失推定値を使ったアップリンクキャリアｎ上のＰＲＡＣＨの送信のためのプリアンブル送信電力であるＰ＿ＰＲＡＣＨ（ｎ）の設定は、以下のように決められる。
【００３８】
Ｐ＿ＰＲＡＣＨ（ｎ）＝ｍｉｎ｛Ｐ＿ｃｍａｘ,  ＰＲＥＡＭＢＬＥ＿ＲＥＣＥＩＶＥＤ＿ＴＡＲＧＥＴ＿ＰＯＷＥＲ（ｎ）＋ＰＬ（ｍ）＋ΔＰＬ（ｍ，ｎ）｝＿［ｄＢｍ］
ここで、Ｐ＿ｃｍａｘは、３ＧＰＰ  ＴＳ３６．１０１に定義されている設定済のＵＥ送信電力であり、ＰＬ（ｍ）は、ダウンリンクコンポーネントキャリアｍに関してＵＥにおいて算出されたダウンリンク経路損失推定値である。
【００３９】
ＰＲＥＡＭＰＬＥ＿ＲＥＣＥＩＶＥＤ＿ＴＡＲＧＥＴ＿ＰＯＷＥＲ（ｎ）は、アップリンクコンポーネントキャリアｎに関して、３ＧＰＰ  ＴＳ３６．１０１に定義されている高位レイヤパラメータである。
【００４０】
サブフレームｉにおける物理アップリンク共用チャネル（ＰＵＳＣＨ）送信についてのＵＥ送信電力ＰＰＵＳＣＨの設定は、次式によって定義される。
【００４１】
ＰＰＵＳＣＨ（ｉ）＝ｍｉｎ｛ＰＣＭＡＸ，  １０ｌｏｇ１０（ＭＰＵＳＣＨ（ｉ）＋ＰＯ＿ＰＵＳＣＨ（ｊ）＋α（ｊ）（ＰＬ（ｍ）＋ΔＰＬ（ｍ，ｎ）＋ΔＴＦ（ｉ）＋ｆ（ｉ）｝［ｄＢｍ］
ここでΔＰＬ（ｍ，ｎ）は、ダウンリンクコンポーネントキャリアｍ上のダウンリンク経路損失推定値に関連するアップリンクコンポーネントキャリアｍに関するアップリンクコンポーネントキャリアｎについての経路損失電力オフセットであり、残りのパラメータは、以下のように定義される。
【００４２】
サブフレームｉにおける物理アップリンク制御チャネル（ＰＵＣＣＨ）送信についてのＵＥ送信電力ＰＰＵＣＣＨの設定は、次式によって定義される。
【００４３】
ＰＰＵＣＣＨ（ｉ）＝ｍｉｎ｛ＰＣＭＡＸ，  ＰＯ＿ＰＵＣＣＨ＋ＰＬ（ｍ）＋ΔＰＬ（ｍ，ｎ）＋ｈ（ｎＣＱＩ，ｎＨＡＲＱ）＋ΔＦ＿ＰＵＣＣＨ（Ｆ）＋ｇ（ｉ）｝［ｄＢｍ］
ここでΔＰＬ（ｍ，ｎ）は、ダウンリンクコンポーネントキャリアｍ上のダウンリンク経路損失推定値に関連するアップリンクコンポーネントキャリアｍに関するアップリンクコンポーネントキャリアｎについての経路損失電力オフセットであり、残りのパラメータは、以下のように定義される。
【００４４】
ＰＣＭＡＸは、設定済ＵＥ送信電力である。
【００４５】
パラメータΔＦ＿ＰＵＣＣＨ（Ｆ）は、高位レイヤによって提供される。各ΔＦ＿ＰＵＣＣＨ（Ｆ）の値は、ＰＵＣＣＨフォーマット１ａに関連するＰＵＣＣＨフォーマット（Ｆ）に対応する。ｈ（ｎ）は、ＰＵＣＣＨフォーマットに依存する値であり、ここでｎＣＱＩは、チャネル品質情報についての数情報ビットに対応し、ｎＨＡＲＱは、ＨＡＲＱビットの数である。
【００４６】
ＰＯ＿ＰＵＣＣＨは、高位レイヤによって提供されるセル固有パラメータであるＰＯ＿ＮＯＭＩＮＡＬ＿ＰＵＣＣＨと、高位レイヤによって提供されるＵＥ固有コンポ―ネントであるＰＯ＿ＵＥ＿ＰＵＣＣＨとの合計から成るパラメータである。
【００４７】
パラメータのさらなる詳細は、３ＧＰＰ  ＴＳ３６．２１３に記載されている。
【００４８】
また、留意されるべきだが、本発明の実施形態は、サウンディング用のリファレンスシンボル（ＳＲＳ）のためのＵＥ送信電力ＰＳＲＳの設定にも適用可能である。
【００４９】
サブフレームｉ上で送信されるサウンディング用のリファレンスシンボルについてのＵＥ送信電力ＰＳＲＳの設定は、以下で定義される。
【００５０】
ＰＳＲＳ（ｉ）＝ｍｉｎ｛ＰＣＭＡＸ，ＰＳＲＳ＿ＯＦＦＳＥＴ＋１０ｌｏｇ１０（ＭＳＲＳ）＋ＰＯ＿ＰＵＳＣＨ（ｊ）＋α（ｊ）・（ＰＬ（ｍ）＋ΔＰＬ（ｍ，ｎ）＋ｆ（ｉ）｝［ｄＢｍ］
ここで、ΔＰＬ（ｍ，ｎ）は、ダウンリンクコンポーネントキャリアｍ上のダウンリンク経路損失推定値に関連するアップリンクコンポーネントキャリアｍに関するアップリンクコンポーネントキャリアｎについての経路損失電力オフセットであり、ＰＣＭＡＸは、Ｋｓ＝１．２５についての設定済ＵＥ送信電力であり、ＰＳＲＳ＿ＯＦＦＳＥＴは、[−３，１２]ｄＢの範囲内で１ｄＢのステップサイズによって半ば静的に高位レイヤによって構成された４ビットのＵＥ固有パラメータである。Ｋｓ＝０については、ＰＳＲＳ＿ＯＦＦＳＥＴは、[−１０．５，１２]ｄＢの範囲内で１．５ｄＢのステップサイズで高位レイヤによって半ば静的に構成された４ビットのＵＥ固有パラメータであり、ここでＫｓは、高位レイヤによって提供されるＵＥ固有パラメータであるΔＭＣＳ−Ｅｎａｂｌｅｄによって与えられる。
【００５１】
ＭＳＲＳは、リソースブロックの数として表されるサブフレームｉにおけるＳＲＳ送信の帯域幅である。
【００５２】
ｆ（ｉ）は、ＰＵＳＣＨについての現行の電力制御調整状態である。
【００５３】
ＰＯ＿ＰＵＳＣＨ（ｊ）とα（ｊ）とは、ｆ＝１の場合の３ＧＰＰ  ＴＳ３６．２１３で定義されたパラメータである。
【００５４】
従って、アップリンクコンポーネントキャリアｎとも呼ばれる第１のアップリンクコンポーネントキャリアｙが、ＰＵＣＣＨ、ＰＵＳＣＨ、ＳＲＳ、およびＰＲＡＣＨのうちの１つを搬送するのに用いられてもよい。
【００５５】
第２の実施形態では、経路損失測定が行われたダウンリンクコンポーネントキャリアｍは、アンカーダウンリンクコンポーネントキャリアである。アンカーダウンリンクコンポーネントキャリアは、主にＵＥによって用いられ、例えば経路損失推定のために用いられることになる、ダウンリンクコンポーネントキャリアである。
【００５６】
次に、本発明による方法を示す図６および７を参照する。
【００５７】
図６のフローチャートで、第１のアップリンクコンポーネントキャリア上で用いられることになる送信電力をＵＥが判定するのをアシスト（支援）するための、基地局における方法を開示する。基地局は、複数のアップリンクおよびダウンリンクコンポーネントキャリアｘ、ｙ上でＵＥと通信するように構成されており、ＵＥは、第２のダウンリンクコンポーネントキャリアｘに関連する経路損失パラメータを把握している。第１のステップ６０１では、基地局のコンポーネントキャリアに関連するセル固有経路損失パラメータが判定される。セル固有経路損失パラメータには、少なくとも、第１のアップリンクコンポーネントキャリアと、同じ周波数帯の第２のダウンリンクコンポーネントキャリアｘと対になった第２のアップリンクコンポーネントキャリアｘとに関連する経路損失パラメータが含まれている。これらのセル固有経路損失パラメータは、基地局自身によって識別されるかまたは、運用・維持（Ｏ＆Ａ）管理ノードによって基地局の中に構成されてもよい。次のステップ６０２で、経路損失電力オフセットであるΔＰＬ（ｙ，ｘ）が、第１のアップリンクコンポーネントキャリアｙについて算出され、ここで経路損失電力オフセットであるΔＰＬ（ｙ，ｘ）は、第２のアップリンクコンポーネントキャリアｘに関する第１のアップリンクコンポーネントキャリアｙについての経路損失電力オフセットである。次いで、ステップ６０３で、算出された経路損失オフセットであるΔＰＬ（ｙ，ｘ）が、ＵＥへ送信される。
【００５８】
第２の実施形態では、第２のダウンリンクコンポーネントキャリアｘは、アンカーダウンリンクコンポーネントキャリアである。
【００５９】
基地局がセル固有経路損失パラメータを判定することを目的として、本方法は、別のステップ、すなわち、ＵＥから測定結果を受信するステップ６００ａと、受信された測定値に基づいて第１および第２のコンポーネントキャリアに関連するセル固有経路損失パラメータを判定するステップ６００ｂとを備えてもよい。測定結果は、ＲＳＲＰ測定値であってもよい。
【００６０】
図７のフローチャートによって、第１のアップリンクコンポーネントキャリアｙ上で用いられることになるＵＥ送信電力を判定するためのＵＥにおいて実行される方法が提供される。ＵＥは、複数のアップリンクおよびダウンリンクコンポーネントキャリアｘ、ｙ上で基地局と通信するように構成されている。第１のステップでは、ＵＥは、第２のダウンリンクコンポーネントキャリアｘの経路損失パラメータを判定し、ΔＰＬ（ｙ，ｘ）と呼ばれる経路損失オフセットを受信する７０３。ΔＰＬ（ｙ，ｘ）は、同じ周波数帯のダウンリンクコンポーネットキャリアｘとペアになっているアップリンクコンポーネントキャリアｘに関する第１のアップリンクコンポーネントキャリアｙについての経路損失電力オフセットである。次いでＵＥは、受信された経路損失オフセットであるΔＰＬ（ｘ，ｙ）と、第２のダウンリンクコンポーネントキャリアｘの判定された経路損失パラメータとを用いて、アップリンクコンポーネントキャリアｙ上で用いられることになる送信電力を算出する。
【００６１】
一実施形態によると、方法には、例えばＲＳＲＰ測定値のような測定値を、経路損失パラメータを判定するのに用いられることになる基地局へ送信する任意のステップ７０２が含まれる。
【００６２】
また、本発明の実施形態は、ＬＴＥではｅＮＢとも呼ばれる基地局およびＵＥも対象とする。ＵＥは、基地局を介して移動通信ネットワークと無線で通信するように構成されている。従って、ＵＥおよび基地局は、アンテナと、電力増幅器と、無線通信を可能にするその他のソフトウェア手段および電子回路部とを備えている。図８は、本発明の実施形態によるＵＥ１１０６と基地局８００とを略示する。
【００６３】
基地局８００は、複数のアップリンクおよびダウンリンクコンポーネントキャリアｘ、ｙ上でＵＥ１１０６と通信して、第１のアップリンクコンポーネントキャリアｙ上で用いられることになる送信電力を判定するように構成されている。さらに、ＵＥ１１０６は、第２の下りコンポーネントキャリアｘに関連する経路損失パラメータを知っている。基地局８００は、基地局のコンポーネントキャリアに関連するセル固有の経路損失パラメータを判定するように構成されたプロセッサ８０１を備えている。セル固有の経路損失パラメータには少なくとも、第１のアップリンクコンポーネントキャリアｙについての経路損失オフセットであるΔＰＬ（ｙ，ｘ）８０３を算出するため、第１のアップリンクコンポーネントキャリアと、同じ周波数帯の第２のダウンリンクコンポーネントキャリアｘと対になった第２のアップリンクコンポーネントキャリアｘとに関連する経路損失パラメータが含まれている。経路損失オフセットであるΔＰＬ（ｙ，ｘ）８０３は、第２のアップリンクコンポーネントキャリアｘに関する第１のアップリンクコンポーネントキャリアｙについての経路損失電力オフセットである。さらに、基地局８００は、算出された経路損失オフセットであるΔＰＬ（ｙ，ｘ）８０３をＵＥ１１０６に送信するように構成された送信機８０２を備えている。
【００６４】
別の実施形態によれば、基地局はさらに、ＵＥから測定値８０７ｂを受信するように構成された受信機８０７を備えており、ここで、プロセッサ８０１は、さらに、受信された測定値に基づいて第１および第２のコンポーネントキャリアに関連する経路損失パラメータを判定するように構成されている。また、受信機８０７は、用いられることになる送信電力が判定される、異なるアップリンクコンポーネントキャリア上でその他の制御情報８０７ｂとデータ８０７ａとを受信するように構成されている。
【００６５】
ＵＥ１１０６は、複数のアップリンクおよびダウンリンクコンポーネントキャリアｘ、ｙ上で基地局と通信するために、第１のアップリンクコンポーネントキャリアｙ上で用いられることになるＵＥ送信電力を判定するように構成されている。ＵＥ１１０６は、第２のダウンリンクコンポーネントキャリアｘの経路損失パラメータを判定するように構成されたプロセッサ８０４と、経路損失オフセットであるΔＰＬ（ｙ，ｘ）を受信するように構成された受信機８０３とを備えている。ΔＰＬ（ｙ，ｘ）は、同じ周波数帯のダウンリンクコンポーネントキャリアｘと対になったアップリンクコンポーネントキャリアｘに関するアップリンクコンポーネントキャリアｙについての経路損失電力オフセットである。プロセッサ８０４は、さらに、受信された経路損失オフセットであるΔＰＬ（ｘ，ｙ）と第２のダウンリンクコンポーネントキャリアｘの判定された経路損失パラメータとを用いて、アップリンクコンポーネントキャリアｙ上で用いられることになる送信電力を算出するように構成される。
【００６６】
別の実施形態によると、ＵＥ１１０６は、さらに、経路損失パラメータを判定するのに用いられることになる基地局８００へＲＳＲＰ測定値を送信するように構成された送信機８０５を備えている。
【００６７】
また、留意されるべきだが、送信機８０５は、用いられることになる送信電力が判定される、異なるアップリンクコンポーネントキャリア上でその他の制御情報８０７ｂとデータ８０７ａとを送信するように構成される。
【００６８】
当業者であれば、本開示の発明の修正形態およびその他の実施形態が、前記の記述および関連の図面の中に提示された教示内容によって頭に浮かぶであろう。従って、理解されるべきだが、本発明は、開示された特定の実施形態に限定されるべきだはなく、修正形態およびその他の実施形態も本開示の範囲に含まれることが意図されている。本書では特定の用語が用いられているが、それらは一般的な説明的な意味でのみ用いられており、限定を目的としていない。
【図１】
0005624145.tif 000002
【図２】
0005624145.tif 000003
【図３】
0005624145.tif 000004
【図４】
0005624145.tif 000005
【図５】
0005624145.tif 000006
【図６】
0005624145.tif 000007
【図７】
0005624145.tif 000008
【図８】
0005624145.tif 000009
【図９】
0005624145.tif 000010
【図１０】
0005624145.tif 000011